(57)【要約】【課題】公衆無線回線網を使用して遠隔監視を行うエスカレーターの遠隔監視システムにおいて、容易に設置でき、且つ良好な通信状態を確保する。【解決手段】エスカレーター４の監視装置３をＰＨＳ網６に接続するＰＨＳ端末２において、電波の送受を行うアンテナ１を平面型とし、エスカレーター乗り口のポール１０等に取付ける。【選択図】図２
2007001729.tif 000002
【特許請求の範囲】
【請求項１】
公衆無線通信網を用いてエスカレーターの遠隔監視・診断を行うエスカレーターの遠隔監視システムにおいて、前記公衆無線通信網に前記遠隔監視システムを接続する無線通信機のアンテナを、エスカレーター乗り口のポールに設置したことを特徴とするエスカレーターの遠隔監視システム。
【請求項２】
公衆無線通信網を用いてエスカレーターの遠隔監視・診断を行うエスカレーターの遠隔監視システムにおいて、前記公衆無線通信網に前記遠隔監視システムを接続する無線通信機のアンテナを、エスカレーター乗り口の運転方向表示器に設置したことを特徴とするエスカレーターの遠隔監視システム。
【発明の詳細な説明】
【技術分野】
【０００１】
本発明は、公衆無線通信網を用いてエスカレーターを遠隔地から監視・診断するエスカレーターの遠隔監視システムに関し、特にそのシステムにおける無線通信機のアンテナの設置方法に有効なエスカレーターの遠隔監視システムに関するものである。
【背景技術】
【０００２】
公衆電話回線網を用いて遠隔監視を行うエスカレーターの遠隔監視システムは、エスカレーターの異常を集中監視する監視センターとエスカレーターの監視装置との間を有線の公衆回線網を使用してデータ送受信を行うものはよく知られている。しかしながら、既設のエスカレーターに監視装置を設置する場合、有線の公衆回線では新たに通信線を敷設しなければならず、工事期間および費用がかさむという問題がある。
【０００３】
そのため、たとえば公衆電話回線網ＰＨＳ網などの公衆無線回線網を使用したものも知られているが、無線方式を用いた通信方法においても、エスカレーターは主に金属部品で構成されるため、電波を遮断し、良好な通信状態を確保できないという問題があった。
【０００４】
そのため、エスカレーター乗り口の床付近に設ける起動及び停止操作を行う操作盤を非金属材料で構成し、無線通信機のアンテナをこの操作盤内部に設置する方法は知られている（特許文献１参照）。
【特許文献１】特開２００２−１４５５７０公報（段落０００９、図２）
【発明の開示】
【発明が解決しようとする課題】
【０００５】
しかしながら、上記従来技術では、既設のエスカレーターに無線通信機を設置する場合には操作盤を非金属部品で構成された物に交換しなければならないという問題があった。
【０００６】
本発明の目的は、公衆無線回線網を使用して遠隔監視を行うエスカレーターの遠隔監視システムにおいて、容易に設置でき、且つ良好な通信状態を確保することを目的とする。
【課題を解決するための手段】
【０００７】
この発明に係るエスカレーターの遠隔監視システムは、公衆無線回線網に接続する無線通信機のアンテナを、エスカレーター乗場のポールに設置したことを特徴とするものである。
【０００８】
また、本発明に係るエスカレーターの遠隔監視システムは、公衆無線回線網に接続する無線通信機のアンテナを、運転方向表示器に設置したことを特徴とするものである。
【発明の効果】
【０００９】
本発明により、エスカレーターの監視装置と、エスカレーターの異常を集中監視する管制センターとの通信手段を、無線通信機を用いて容易に構築できるという効果がある。
【発明を実施するための最良の形態】
【００１０】
以下、図面を参照して本発明の実施の形態について詳細に説明する。
【００１１】
図１は本発明の全体構成を示す。１はＰＨＳ端末２に接続され、電波の送受を行う平面アンテナ、３はエスカレーターの異常検出や異常診断を行う監視装置、４はエスカレーター、４ａはエスカレーターの駆動制御を行うエスカレーター制御盤、５はＰＨＳ公衆基地局、６は公衆網、７はエスカレーター４の異常動作や動作状態を監視する管制センターである。
【００１２】
この実施形態においてエスカレーター４に故障が発生した場合は、監視装置３はエスカレーター制御盤４ａと常時データの送受信を行いエスカレーター４の動作を監視しているので、その故障状態をＰＨＳ端末２を介して、ＰＨＳ公衆基地局５、公衆網６を介して管制センター７に接続され、エスカレーター４の故障状態を通報し、管制センター７から連絡を受けた技術者が即座に現地に出動し故障対応する。
【００１３】
図２は、エスカレーターの乗り口に設けられた自動運転用の乗客検出センタ等が納められているポール１０に平面アンテナ１を取付けた場合の一例を示す図である。図２において、１ｂはＰＨＳ端末２と平面アンテナ１を接続する同軸ケーブルである。この実施形態においては、エスカレーター４の下部乗り口に平面アンテナ１を取付けた場合を示しているが、上部乗り口に取付けても構わない。
【００１４】
また、平面アンテナ１はポール１０の表面に取付けても良いが、ポール１０に対し例えばアクリル等の非導電物質により構成される部分を設け、平面アンテナ１をアクリル部分内側に設置しても良い。
【００１５】
以上説明したように、上述の実施形態においては、ＰＨＳ端末のアンテナをエスカレーター乗り口に設置されたポール１０に取付ける構造としたことにより、容易に監視装置ＰＨＳ網に接続することが出来、さらに、床面から例えば１ｍ程度の高さに設置しておけば、カートや清掃器具の衝突等による破損を防ぐことができる。
【００１６】
次に、本発明の他の実施形態を図３を用いて説明する。
【００１７】
本実施形態において、前述した実施形態と異なる点は、平面アンテナ１の取付構造にある。
【００１８】
図３は、一例として併設設置されたエスカレーター４の下面に設けられた運転方向表示器２０に平面アンテナ１を取付けた場合の一例を示す図である。
【００１９】
図３において、１ｂはＰＨＳ端末２と平面アンテナ１を接続する同軸ケーブルである。
【００２０】
この実施形態においては、エスカレーター４の下部の運転方向表示器２０に平面アンテナ１を取付けた場合を示しているが、上部の運転方向表示器２０に取付けても構わない。
【００２１】
以上説明したように、上述の実施形態においては、ＰＨＳ端末のアンテナをエスカレーター下面に設置された運転方向表示器２０に取付ける構造としたことにより、容易に監視装置ＰＨＳ網に接続することが出来、さらに、カートや清掃器具の衝突等による破損を防ぐことができることはいうまでもない。
【００２２】
また、前述した実施形態においては、場合によっては建屋工事が発生することもあるが、本実施形態においては建屋工事が一切不要であり、既設のエスカレーターに監視装置を取付ける場合において、工事期間や費用を掛けずにすむため極めて有益である。
【図面の簡単な説明】
【００２３】
【図１】エスカレーターの遠隔監視システムの構成図である。
【図２】本発明の一実施形態を示すエスカレーターの遠隔監視システムの構成図である。
【図３】本発明の一実施形態を示すエスカレーターの遠隔監視システムの構成図である。
【符号の説明】
【００２４】
１  平面アンテナ
１ｂ  同軸ケーブル
２  ＰＨＳ端末
３  監視装置
４ａ  エスカレーター制御盤
４  エスカレーター
５  ＰＨＳ公衆基地局
６  公衆網
７  管制センター
１０  自動運転用ポール
２０  運転方向表示器
【図１】
2007001729.tif 000003
【図２】
2007001729.tif 000004
【図３】
2007001729.tif 000005